(57)【要約】  【課題】  表示画面から特定の条件に合致するメールが容易に判別できる電子メール端末を提供する。また、特定の条件に合致するメールを表示画面に表示する場合に特定の条件に応じた表示を行う電子メール端末を提供する。  【解決手段】  電子メールの内容を表示する表示装置７と、メールアドレスに対応するフォント設定テーブルデータを記憶する主記憶装置５と、主記憶装置５に記憶されているフォント設定テーブルデータを参照して表示対象メールの相手先メールアドレスに応じたフォント設定で前記表示対象メールの内容を表示装置７に表示させる制御装置３と、を備える電子メール端末。【選択図】      図１
2005065139.tif 000002
【特許請求の範囲】
【請求項１】
電子メールの内容を表示する表示手段と、
表示対象メールの相手先メールアドレスの全部又は一部に応じたフォント設定で前記表示対象メールの内容を前記表示手段に表示させる制御手段と、
を備えることを特徴とする電子メール端末。
【請求項２】
電子メールの内容を表示する表示手段と、
表示対象メールの題名に含まれる文字列に応じたフォント設定で前記表示対象メールの内容を前記表示手段に表示させる制御手段と、
を備えることを特徴とする電子メール端末。
【請求項３】
フォント設定を選択する選択手段と、
前記選択手段によって選択されたフォント設定とメールアドレスの全部若しくは一部又は題名に含まれる文字列とを対応させて記憶する記憶手段と、
を備え、
前記制御手段が、前記表示対象メールの内容を前記記憶手段に記憶されている情報に基づいて前記表示手段に表示させる請求項１又は請求項２に記載の電子メール端末。
【請求項４】
デフォルトのフォント設定を記憶するデフォルト設定記憶手段を備え、
前記表示対象メールの相手先メールアドレスの全部若しくは一部又は題名に含まれる文字列が前記記憶手段に記憶されている情報の中に存在しない場合は、前記制御手段が、前記デフォルト設定記憶手段に記憶されているデフォルト設定に基づいて前記表示対象メールの内容を前記表示手段に表示させる請求項３に記載の電子メール端末。
【請求項５】
前記制御手段が、電子メールの内容を構成する相手先メールアドレス、題名、及び本文のうち少なくとも１つを前記表示対象メールの相手先メールアドレスの全部若しくは一部又は題名に含まれる文字列に応じたフォント設定で前記表示手段に表示させる請求項１〜４のいずれかに記載の電子メール端末。
【請求項６】
前記制御手段が、電子メールの内容を構成する相手先メールアドレス、題名、及び本文のそれぞれについて前記表示対象メールの相手先メールアドレスの全部若しくは一部又は題名に含まれる文字列に応じたそれぞれ異なるフォント設定で前記表示手段に表示させる請求項５に記載の電子メール端末。
【請求項７】
表示装置及び通信ネットワークインターフェースを備えるコンピュータを、
メールサーバから受信メールデータを受信する手段、
メールサーバに送信メールデータを送信する手段、
電子メールの内容を表示する表示手段、
表示対象メールの相手先メールアドレスの全部又は一部に応じたフォント設定で前記表示対象メールの内容を前記表示手段に表示させる制御手段と、
として機能させるためのプログラム。
【請求項８】
表示装置及び通信ネットワークインターフェースを備えるコンピュータを、
メールサーバから受信メールデータを受信する手段、
メールサーバに送信メールデータを送信する手段、
電子メールの内容を表示する表示手段、
表示対象メールの題名に含まれる文字列に応じたフォント設定で前記表示対象メールの内容を前記表示手段に表示させる制御手段、
として機能させるためのプログラム。
【発明の詳細な説明】
【技術分野】
【０００１】
本発明は、電子メールを送受信する電子メール端末に関する。
【背景技術】
【０００２】
従来の電子メール端末では、受信したメールの発信者名を判別するために文面から情報を読み取る必要があった。したがって、従来の電子メール端末では、受信したメールの発信者名を容易に判別することができなかった。このような問題点を解決するために、発信元のメールアドレスに対応して色を変えて受信メールを印刷する電子メール送受信機能付きカラーファクシミリ装置が提案されている（特許文献３）。この電子メール送受信機能付きカラーファクシミリ装置では、発信元のメールアドレスに対応して色を変えて受信メールを印刷するので、文章の内容を読み取らなくても印刷された色によって発信者名を容易に判別することができる。
【特許文献１】特開平６−２３７２６８号公報
【特許文献２】特開２００１−５６７９０号公報
【特許文献３】特開２００１−３２６７８３号公報
【発明の開示】
【発明が解決しようとする課題】
【０００３】
しかしながら、カラー印刷手段を有さない電子メール端末では依然として、受信したメールの発信者名を判別するために文面から情報を読み取る必要があった。特に電子メール端末が携帯電話装置等のモバイル機器である場合、表示画面が小さいために発信元のメールアドレスとメール本文とを同時に表示することが困難であり、メール本文を見るだけで容易に受信したメールの発信者名を判別したいという要求があった。
【０００４】
また、メール送信においても、特に電子メール端末が携帯電話装置等のモバイル機器である場合、表示画面が小さいために、メール本文を入力する際に送信先のメールアドレスとメール本文とを同時に表示することが困難であり、メール本文入力中に送信先を確認することができないため、送信先を間違った状態でメール本文を入力するおそれがあった。
【０００５】
また、複数のユーザーで電子メール端末を共有する際、ユーザーによっては大きいフォント或いはゴシック体で表示し視認性を高めたいと思う者もいるし、小さなフォントで表示し一覧性を高めたいと思う者もいる。また、単一のユーザーが電子メール端末を使用する場合であっても、メールの内容によってフォーマルな印象にするために明朝体で表示したい場合（例えば会社関係の送受信メールを表示する場合）もあれば、メールの内容によってインフォーマルな印象にするためにポップ体で表示したい場合（例えば友人関係の送受信メールを表示する場合）もある。このように、それぞれのユーザーやメールの内容によって表示設定に異なる要求があった。しかしながら、従来の電子メール端末では、かかる要求を満たすためには、ユーザー自身がいちいち表示フォントの設定を変更しなければならないので、不便であった。
【０００６】
本発明は、上記の問題点に鑑み、表示画面から特定の条件に合致するメールが容易に判別できる電子メール端末を提供することを目的とする。また、本発明は、上記の問題点に鑑み、特定の条件に合致するメールを表示画面に表示する場合に特定の条件に応じた表示を行う電子メール端末を提供することを目的とする。
【課題を解決するための手段】
【０００７】
上記目的を達成するために、本発明に係る電子メール端末においては、電子メールの内容を表示する表示手段と、表示対象メールの相手先メールアドレスの全部又は一部に応じたフォント設定で前記表示対象メールの内容を前記表示手段に表示させる制御手段と、を備える構成とする。
【０００８】
このような構成によると、相手先メールアドレスの全部又は一部が同じメールは同一のフォント設定で表示されるので、表示画面から特定の条件に合致するメールが容易に判別できる。また、特定の条件に合致するメールを表示画面に表示する場合に特定の条件に応じた表示を行うこともできる。したがって、受信メールに対して、メールの内容を読まないで表示画面を見るだけで容易に受信したメールの発信者名を判別することができる。表示装置の表示画面が小さくて、発信元メールアドレスとメール本文とを同時に表示することが困難である場合には特に有用である。また、送信メールに対して、メールの本文を入力する際、本文入力中に表示されている文字のフォントによって相手先を確認することができ、相手先を間違うことを防止することができる。表示装置の表示画面が小さくて、メール本文を入力する際に送信先のメールアドレスとメール本文とを同時に表示することが困難である場合には特に有用である。また、複数のユーザーで電子メール端末を共有していて、それぞれのユーザー毎に異なる相手先をもっている場合、ユーザー自身がいちいち表示フォントの設定を変更しなくてもそれぞれのユーザーの好みに応じたフォント設定を得ることができ、利便性が向上する。また、単一のユーザーが電子メール端末を使用する場合であっても、ユーザー自身がいちいち表示フォントの設定を変更しなくても相手先に応じて表示から得られる印象を変えることができ、利便性が向上する。
【０００９】
また、上記目的を達成するために、本発明に係る電子メール端末においては、電子メールの内容を表示する表示手段と、表示対象メールの題名に含まれる文字列に応じたフォント設定で前記表示対象メールの内容を前記表示手段に表示させる制御手段と、を備える構成とする。
【００１０】
このような構成にすると、題名の共通するメールについては同一のフォント設定になるので、表示画面から特定の題名のメールが容易に判別できる。また、題名に応じて表示の印象を変えることができる。
【００１１】
また、上記いずれかの構成の電子メール端末において、フォント設定を選択する選択手段と、前記選択手段によって選択されたフォント設定とメールアドレスの全部若しくは一部又は題名に含まれる文字列とを対応させて記憶する記憶手段と、を備え、前記制御手段が、前記表示対象メールの内容を前記記憶手段に記憶されている情報に基づいて前記表示手段に表示させるようにしてもよい。
【００１２】
このような構成によると、選択手段によってユーザーの好みのフォント設定をすることが可能となる。
【００１３】
また、デフォルトのフォント設定を記憶するデフォルト設定記憶手段を備え、前記表示対象メールの相手先メールアドレスの全部若しくは一部又は題名に含まれる文字列が前記記憶手段に記憶されている情報の中に存在しない場合は、前記制御手段が、前記デフォルト設定記憶手段に記憶されているデフォルト設定に基づいて前記表示対象メールの内容を前記表示手段に表示させてもよい。
【００１４】
これにより、デフォルト設定でメールの内容を表示させたいメールアドレスや題名については、いちいち選択手段によってフォント設定を選択しなくてすむ。
【００１５】
また、前記制御手段が、電子メールの内容を構成する相手先メールアドレス、題名、及び本文のうち少なくとも１つを前記表示対象メールの相手先メールアドレスの全部若しくは一部又は題名に含まれる文字列に応じたフォント設定で前記表示手段に表示させてもよい。また、前記制御手段が、電子メールの内容を構成する相手先メールアドレス、題名、及び本文のそれぞれについて前記表示対象メールの相手先メールアドレスの全部若しくは一部又は題名に含まれる文字列に応じたそれぞれ異なるフォント設定で前記表示手段に表示させてもよい。
【００１６】
このような構成によると、ユーザーが重要と思う項目のみを大きく表示することができる。このため、特に表示画面が小さい電子メール端末に好適である。
【００１７】
また、上記目的を達成するために、本発明に係るプログラムにおいては、表示装置及び通信ネットワークインターフェースを備えるコンピュータを、メールサーバから受信メールデータを受信する手段、メールサーバに送信メールデータを送信する手段、電子メールの内容を表示する表示手段、表示対象メールの相手先メールアドレスの全部又は一部に応じたフォント設定で前記表示対象メールの内容を前記表示手段に表示させる制御手段と、として機能させるためのプログラムとする。このプログラムを、表示装置及び通信ネットワークインターフェースを備えるコンピュータのメモリに記憶することによって、表示画面から特定の条件に合致するメールが容易に判別できる電子メール端末や特定の条件に合致するメールを表示画面に表示する場合に特定の条件に応じた表示を行う電子メール端末を実現することができる。
【００１８】
また、上記目的を達成するために、本発明に係るプログラムにおいては、表示装置及び通信ネットワークインターフェースを備えるコンピュータを、メールサーバから受信メールデータを受信する手段、メールサーバに送信メールデータを送信する手段、電子メールの内容を表示する表示手段、表示対象メールの題名に含まれる文字列に応じたフォント設定で前記表示対象メールの内容を前記表示手段に表示させる制御手段、として機能させるためのプログラムとする。このプログラムを、表示装置及び通信ネットワークインターフェースを備えるコンピュータのメモリに記憶することによって、表示画面から特定の条件に合致するメールが容易に判別できる電子メール端末や特定の条件に合致するメールを表示画面に表示する場合に特定の条件に応じた表示を行う電子メール端末を実現することができる。
【発明の効果】
【００１９】
本発明に係る電子メール端末によると、表示画面から特定の条件に合致するメールが容易に判別できる。また、本発明に係る電子メール端末によると、特定の条件に合致するメールを表示画面に表示する場合に特定の条件に応じた表示を行うことができる。
【発明を実施するための最良の形態】
【００２０】
以下に本発明の一実施形態について図面を参照して説明する。図１は、本発明に係る電子メール端末の構成を示すブロック図である。本発明に係る電子メール端末は、文字入力ボタン群１と、操作ボタン群２と、制御装置３と、網制御装置４と、主記憶装置５と、メール記憶装置６と、カラー表示を行う表示装置７とを備えている。
【００２１】
操作ボタン群２は、受信メールボタンと、新規メールボタンと、フォント大きさボタンと、フォント種類ボタンと、フォント色ボタンと、決定ボタンと、送信ボタンとを有している。ユーザーによってフォント大きさボタンが押圧される毎に、フォントの大きさが「中くらいのフォント」→「大きなフォント」→「小さなフォント」→「中くらいのフォント」の繰り返し順で切り替わる。また、ユーザーによってフォント種類ボタンが押圧される毎に、フォントの種類が「明朝体」→「ゴシック体」→「明朝体」の繰り返し順で切り替わる。また、ユーザーによってフォント色ボタンが押圧される毎に、フォントの色が「黒」→「赤」→「青」→「黒」の繰り返し順で切り替わる。
【００２２】
制御装置３は、主記憶装置５に記憶されている制御プログラムに従って電子メール端末全体を制御する。網制御装置４は、網（図示せず）を介してメールサーバー（図示せず）と接続してメールデータの送受信を行う。主記憶装置５は、上記制御プログラムの他に図２に示すデフォルトのフォント設定テーブルデータと、メールアドレスに対応したフォント設定テーブルデータ（以下、メールアドレス対応フォント設定テーブルデータという）とを記憶している。メール記憶装置６は、送受信したメールデータを記憶する。表示装置７は、メールの内容を表示する。
【００２３】
図１の電子メール端末の受信動作について図４のフローチャートを参照して説明する。ユーザーによって受信メールボタンが押圧されると、受信動作が開始され、操作ボタン群２から制御装置３に受信開始指令信号が出力される。制御装置３は、受信開始指令信号を入力すると、網制御装置４がメールサーバーと接続してメールデータを受信するように網制御装置４を制御する（ステップＳ１０）。網制御装置４によって受信されたメールデータは、制御装置３を経由してメール記憶装置６に送られ、メール記憶装置６によって記憶される。
【００２４】
続くステップＳ２０では、制御装置３が、メール記憶装置６によって記憶されるメールデータから発信元メールアドレスを抽出し、その抽出したメールアドレスが、主記憶装置５に記憶されているメールアドレス対応フォント設定テーブルデータの中に存在するかを判定する（ステップＳ２０）。
【００２５】
発信元メールアドレスが主記憶装置５に記憶されているメールアドレス対応フォント設定テーブルデータの中に存在していれば（ステップＳ２０のＹｅｓ）、制御装置３は、メールアドレス対応フォント設定テーブルデータに応じた表示フォントで、相手先、題名、及び本文からなるメールの内容を表示装置７に表示させたのち（ステップＳ４０）、ステップＳ５０に移行する。
【００２６】
一方、発信元メールアドレスが主記憶装置５に記憶されているメールアドレス対応フォント設定テーブルデータの中に存在していなければ（ステップＳ２０のＮｏ）、制御装置３は、デフォルトのフォント設定テーブルデータ（図２参照）に応じたフォント設定で、相手先、題名、及び本文からなるメールの内容を表示装置７に表示させたのち（ステップＳ３０）、ステップＳ５０に移行する。
【００２７】
ステップＳ５０では、フォント設定が更新されたかを制御装置３が判定する。具体的には、フォント大きさボタン、フォント種類ボタン、又はフォント色ボタンがユーザーによって押圧されると、操作ボタン群２から制御装置３にフォント変更信号が出力される。制御装置３は、フォント変更信号を入力すると、フォント変更信号に応じてフォント設定を変更して表示装置７表示させる。その後、決定ボタンがユーザーによって押圧されると、操作ボタン群２から制御装置３に変更決定信号が出力される。制御装置３は、変更決定信号を入力すると、フォント設定が更新されたと判定する。
【００２８】
制御装置３は、フォント設定が更新されたと判定すれば（ステップＳ５０のＹｅｓ）、現在のフォント設定を発信元メールアドレスと対応させて主記憶装置５に記憶されているメールアドレス対応フォント設定テーブルデータを更新したのち（ステップＳ６０）、ステップＳ５０に移行しフォント設定が変更されないかを監視する。なお、受信動作以外の動作命令が成されると、図４のフローチャートから抜ける。
【００２９】
このような動作によると、メールアドレス対応フォント設定テーブルデータが図３（ａ）に示すように何も記憶されていない初期状態であって、受信メールの発信元メールアドレスが“xyz＠www.co.jp”である場合、ステップＳ２０での判定がＮｏとなり、ステップＳ３０で表示装置７の表示画面は図５（ａ）に示すようになる。そして、ステップＳ５０でユーザーによって「フォント大きさボタン」が１回押圧されると表示装置７の表示画面は図５（ｂ）に示すようになり、その状態でユーザーにより「決定ボタン」が押圧されると、メールアドレス対応フォント設定テーブルデータが図３（ａ）から図３（ｂ）に更新される（ステップＳ６０）。その後、メールアドレス対応フォント設定テーブルデータが更新されない限り、図３（ｂ）のメールアドレス対応フォント設定テーブルデータが適用される。
【００３０】
同様にして、“aaa＠www.co.jp”と“bbb＠www.co.jp”についてもそれぞれに対応したフォント設定をすると、メールアドレス対応フォント設定テーブルデータは更新されて図３（ｃ）のようになる。この場合に、“abc＠qqq.co.jp”からのメールを受信すると、“abc＠qqq.co.jp”は図３（ｃ）のメールアドレス対応フォント設定テーブルデータの中に存在しないので、デフォルト設定で表示され表示装置７の表示画面は図５（ｃ）に示すようになる。また、この場合に、“bbb＠www.co.jp”からのメールを受信すると、表示装置７の表示画面は図５（ｄ）に示すようになる。また、この場合に、“aaa＠www.co.jp”からのメールを受信すると、表示装置７の表示画面は図５（ｅ）に示すようになる。そして、表示装置７の表示画面は図５（ｅ）に示す状態で、ステップＳ５０でユーザーによって「フォント種類ボタン」が１回押圧されると、表示装置７の表示画面は図５（ｆ）に示すようになり、その状態でユーザーにより「決定ボタン」が押圧されると、メールアドレス対応フォント設定テーブルデータが図３（ｃ）から図３（ｄ）に更新される（ステップＳ６０）。
【００３１】
例えば、子供と高齢者の家族で家庭内に設置されたＬモードＦＡＸを使用すると想定した場合、高齢者がメール送受信する際には大きな文字が望ましく、子供がメール送受信する際にはデフォルト設定が望ましいので、当該ＬモードＦＡＸに本発明を適用し、高齢者のメール送受信相手は図３（ｂ）〜（ｄ）のメールアドレス対応フォント設定テーブルデータの中にある“xyz＠www.co.jp“と同一のフォント設定とし、子供のメール送受信相手はメールアドレス対応フォント設定テーブルデータに記憶しないようにすればよい。
【００３２】
次に、図１の電子メール端末の送信動作について図６のフローチャートを参照して説明する。ユーザーによって新規メールボタンが押圧されると、送信動作が開始され、操作ボタン群２から制御装置３に送信動作開始指令信号が出力される。制御装置３は、送信動作開始指令信号を入力すると、表示装置７の表示を図２に示すデフォルト設定にする（ステップＳ１１０）。そして、制御装置３は、送信先メールアドレスが入力されたかを判定する（ステップＳ１２０）。なお、送信先メールアドレスは、ユーザーが文字入力ボタン群１を操作することによって入力される。
【００３３】
送信先メールアドレスが入力されれば（ステップＳ１２０のＹｅｓ）、制御装置３は、入力された送信先メールアドレスが主記憶装置５に記憶されているメールアドレス対応フォント設定テーブルデータの中に存在するかを判定する（ステップＳ１３０）。
【００３４】
送信先メールアドレスが主記憶装置５に記憶されているメールアドレス対応フォント設定テーブルデータの中に存在していれば（ステップＳ１３０のＹｅｓ）、制御装置３は、表示装置７の表示をメールアドレス対応フォント設定テーブルデータに応じたフォント設定にしたのち（ステップＳ１５０）、ステップＳ１６０に移行する。
【００３５】
一方、送信先メールアドレスが主記憶装置５に記憶されているメールアドレス対応フォント設定テーブルデータの中に存在していなければ（ステップＳ１３０のＮｏ）、制御装置３は、表示装置７の表示をデフォルトのフォント設定テーブルデータ（図２参照）に応じたフォント設定にしたままで（ステップＳ１４０）、ステップＳ１６０に移行する。
【００３６】
ステップＳ１６０では、制御装置３がメールデータを送信したかを判定する。ユーザーによって操作ボタン群２の送信ボタンが押圧されると、操作ボタン群２から制御装置３に送信指令信号が出力される。制御装置３は、送信指令信号を入力すると、網制御装置４がメールサーバーと接続してメールデータを送信するように網制御装置４を制御するとともに、メールデータをメール記憶装置６に記憶する。したがって、制御装置３は、網制御装置４がメールサーバーと接続してメールデータを送信するように網制御装置４を制御した時点で、メールデータを送信したと判定する。
【００３７】
メールデータを送信したと判定されれば（ステップＳ１６０のＹｅｓ）、送信動作が終了する。一方、メールデータを送信していないと判定されれば（ステップＳ１６０のＮｏ）、フォント設定が更新されたかを制御装置３が判定する（ステップＳ１７０）。具体的には、フォント大きさボタン、フォント種類ボタン、又はフォント色ボタンがユーザーによって押圧されると、操作ボタン群２から制御装置３にフォント変更信号が出力される。制御装置３は、フォント変更信号を入力すると、フォント変更信号に応じてフォント設定を変更して表示装置７に表示させる。その後、決定ボタンがユーザーによって押圧されると、操作ボタン群２から制御装置３に変更決定信号が出力される。制御装置３は、変更決定信号を入力すると、フォント設定が更新されたと判定する。
【００３８】
制御装置３は、フォント設定が更新されたと判定すれば（ステップＳ１７０のＹｅｓ）、現在の表示設定を送信先メールアドレスと対応させて主記憶装置５に記憶されているメールアドレス対応フォント設定テーブルデータを更新したのち（ステップＳ１８０）、ステップＳ１６０に移行しメールデータを送信したかを監視する。一方、制御装置３は、フォント設定が更新されなかったと判定すれば（ステップＳ１７０のＮｏ）、ステップＳ１６０に移行しメールデータを送信したかを監視する。なお、送信動作以外の動作命令が成されると、図６のフローチャートから抜ける。また、図６のフローチャート動作中にユーザーによって文字入力ボタン群１が操作されると、制御装置３は文字入力ボタン群１から入力文字情報を受け取り、押圧されたボタンに対応する文字を表示装置７に表示させる。
【００３９】
このような受信動作及び送信動作によると、相手先メールアドレスが同じメールは同一のフォント設定で表示されるので、表示画面から特定の条件に合致するメールが容易に判別できる。また、特定の条件に合致するメールを表示画面に表示する場合に特定の条件に応じた表示を行うこともできる。したがって、受信メールに対して、メールの内容を読まないで表示画面を見るだけで容易に受信したメールの発信者名を判別することができる。表示装置の表示画面が小さくて、発信元メールアドレスとメール本文とを同時に表示することが困難である場合には特に有用である。また、送信メールに対して、メールの本文を入力する際、本文入力中に表示されている文字のフォントによって相手先を確認することができ、相手先を間違うことを防止することができる。表示装置の表示画面が小さくて、メール本文を入力する際に送信先のメールアドレスとメール本文とを同時に表示することが困難である場合には特に有用である。また、複数のユーザーで図１の電子メール端末を共有していて、それぞれのユーザー毎に異なる相手先をもっている場合、ユーザー自身がいちいち表示フォントの設定を変更しなくてもそれぞれのユーザーの好みに応じたフォント設定を得ることができ、利便性が向上する。また、単一のユーザーが図１の電子メール端末を使用する場合であっても、ユーザー自身がいちいち表示フォントの設定を変更しなくても相手先に応じて表示から得られる印象を変えることができ、利便性が向上する。
【００４０】
上述した実施形態では、メールの内容の全ての項目（相手先、題名、本文）について同じ表示フォント設定を用いたが、メールの内容の項目毎に異なる表示フォント設定を用いる形態にしてもよい。この場合、主記憶装置５に記憶されているメールアドレス対応フォント設定テーブルデータは例えば図７に示すようになり、“xyz＠www.co.jp”からの受信メールは表示装置７の表示画面に図８のように表示される。このような形態は、ユーザーが重要と思う項目のみを大きくできるので、特に表示画面が小さい電子メール端末に好適である。
【００４１】
また、上述した実施形態ではメールアドレス対応フォント設定テーブルデータが主記憶装置５に記憶されているが、メールアドレス対応フォント設定テーブルデータの代わりに題名に対応したフォント設定テーブルデータ（以下、題名対応フォント設定テーブルデータという）が主記憶装置５に記憶されるようにしてもよい。この場合における図１の電子メール端末の受信動作及び送信動作について以下に説明する。まず、受信動作について図９のフローチャートを参照して説明する。ユーザーによって受信メールボタンが押圧されると、受信動作が開始され、操作ボタン群２から制御装置３に受信開始指令信号が出力される。制御装置３は、受信開始指令信号を入力すると、網制御装置４がメールサーバーと接続してメールデータを受信するように網制御装置４を制御する（ステップＳ２１０）。網制御装置４によって受信されたメールデータは、制御装置３を経由してメール記憶装置６に送られ、メール記憶装置６によって記憶される。
【００４２】
続くステップＳ２２０では、制御装置３が、メール記憶装置６によって記憶されるメールデータから題名を抽出し、その抽出した題名に含まれる文字列が、主記憶装置５に記憶されている題名対応フォント設定テーブルデータの中に存在するかを判定する（ステップＳ２２０）。
【００４３】
題名に含まれる文字列が主記憶装置５に記憶されている題名対応フォント設定テーブルデータの中に存在していれば（ステップＳ２２０のＹｅｓ）、制御装置３は、題名対応フォント設定テーブルデータに応じたフォント設定で、相手先、題名、及び本文からなるメールの内容を表示装置７に表示させたのち（ステップＳ２４０）、ステップＳ２５０に移行する。
【００４４】
一方、題名に含まれる文字列が主記憶装置５に記憶されている題名対応フォント設定テーブルデータの中に存在していなければ（ステップＳ２２０のＮｏ）、制御装置３は、デフォルトのフォント設定テーブルデータ（図２参照）に応じたフォント設定で、メールアドレス、題名、及び本文からなるメールの内容を表示装置７に表示させたのち（ステップＳ２３０）、ステップＳ２５０に移行する。
【００４５】
ステップＳ２５０では、フォント設定が更新されたかを制御装置３が判定する。具体的には、フォント大きさボタン、フォント種類ボタン、又はフォント色ボタンがユーザーによって押圧されると、操作ボタン群２から制御装置３にフォント変更信号が出力される。制御装置３は、フォント変更信号を入力すると、フォント変更信号に応じてフォント設定を変更して表示装置７表示させる。その後、決定ボタンがユーザーによって押圧されると、操作ボタン群２から制御装置３に変更決定信号が出力される。制御装置３は、変更決定信号を入力すると、フォント設定が更新されたと判定する。
【００４６】
制御装置３は、フォント設定が更新されたと判定すれば（ステップＳ２５０のＹｅｓ）、現在のフォント設定を題名（題名に“Ｒｅ：”が含まれている場合は“Ｒｅ：”を除いた文字列とする）と対応させて主記憶装置５に記憶されている題名対応フォント設定テーブルデータを更新したのち（ステップＳ２６０）、ステップＳ２５０に移行しフォント設定が変更されないかを監視する。なお、受信動作以外の動作命令が成されると、図９のフローチャートから抜ける。
【００４７】
次に、送信動作について図１０のフローチャートを参照して説明する。ユーザーによって新規メールボタンが押圧されると、送信動作が開始され、操作ボタン群２から制御装置３に送信動作開始指令信号が出力される。制御装置３は、送信動作開始指令信号を入力すると、表示装置７の表示を図２に示すデフォルト設定にする（ステップＳ３１０）。そして、制御装置３は、題名が入力されたかを判定する（ステップＳ３２０）。題名は、ユーザーが文字入力ボタン群１を操作することによって入力される。
【００４８】
なお、操作ボタン群に返信メールボタンが設けられている態様では、ステップＳ３１０及びＳ３２０の動作の代わりに、ユーザーによって返信メールボタンが押圧されると、送信動作が開始され、操作ボタン群２から制御装置３に送信動作開始指令信号が出力される。制御装置３は、送信動作開始指令信号を入力すると、受信メールの題名の先頭に“Ｒｅ：”を加えたものを返信メールの題名とする。
【００４９】
題名が入力されれば（ステップＳ３２０のＹｅｓ）、制御装置３は、入力され題名に含まれる文字列が主記憶装置５に記憶されている題名対応フォント設定テーブルデータの中に存在するかを判定する（ステップＳ３３０）。
【００５０】
題名に含まれる文字列が主記憶装置５に記憶されている題名対応フォント設定テーブルデータの中に存在していれば（ステップＳ３３０のＹｅｓ）、制御装置３は、表示装置７の表示を題名対応フォント設定テーブルデータに応じたフォント設定にしたのち（ステップＳ３５０）、ステップＳ３６０に移行する。
【００５１】
一方、題名に含まれる文字列が主記憶装置５に記憶されている題名対応フォント設定テーブルデータの中に存在していなければ（ステップＳ３３０のＮｏ）、制御装置３は、表示装置７の表示をデフォルトのフォント設定テーブルデータ（図２参照）に応じたフォント設定にして（ステップＳ３４０）、ステップＳ３６０に移行する。
【００５２】
ステップＳ３６０では、制御装置３がメールデータを送信したかを判定する。ユーザーによって操作ボタン群２の送信ボタンが押圧されると、操作ボタン群２から制御装置３に送信指令信号が出力される。制御装置３は、送信指令信号を入力すると、網制御装置４がメールサーバーと接続してメールデータを送信するように網制御装置４を制御するとともに、メールデータをメール記憶装置６に記憶する。したがって、制御装置３は、網制御装置４がメールサーバーと接続してメールデータを送信するように網制御装置４を制御した時点で、メールデータを送信したと判定する。
【００５３】
メールデータを送信したと判定されれば（ステップＳ３６０のＹｅｓ）、送信動作が終了する。一方、メールデータを送信していないと判定されれば（ステップＳ３６０のＮｏ）、フォント設定が更新されたかを制御装置３が判定する（ステップＳ３７０）。具体的には、フォント大きさボタン、フォント種類ボタン、又はフォント色ボタンがユーザーによって押圧されると、操作ボタン群２から制御装置３にフォント変更信号が出力される。制御装置３は、フォント変更信号を入力すると、フォント変更信号に応じてフォント設定を変更して表示装置７に表示させる。その後、決定ボタンがユーザーによって押圧されると、操作ボタン群２から制御装置３に変更決定信号が出力される。制御装置３は、変更決定信号を入力すると、フォント設定が更新されたと判定する。
【００５４】
制御装置３は、フォント設定が更新されたと判定すれば（ステップＳ３７０のＹｅｓ）、現在の表示設定を題名（題名に“Ｒｅ：”が含まれている場合は“Ｒｅ：”を除いた文字列とする）と対応させて主記憶装置５に記憶されている題名対応フォント設定テーブルデータを更新したのち（ステップＳ３８０）、ステップＳ３６０に移行しメールデータを送信したかを監視する。一方、制御装置３は、フォント設定が更新されなかったと判定すれば（ステップＳ３７０のＮｏ）、ステップＳ３６０に移行しメールデータを送信したかを監視する。なお、送信動作以外の動作命令が成されると、図１０のフローチャートから抜ける。また、図１０のフローチャート動作中にユーザーによって文字入力ボタン群１が操作されると、制御装置３は文字入力ボタン群１から入力文字情報を受け取り、押圧されたボタンに対応する文字を表示装置７に表示させる。
【００５５】
題名対応フォント設定テーブルデータが図１１（ａ）に示すように何も記憶されていない初期状態であって、発信元メールアドレスが“abc＠qqq.co.jp”、題名が“花見の件”、本文が“４月６日に花見を実施します参加して下さい”であるメールを受信すると、題名が“花見の件”であるので、ステップＳ２２０での判定がＮｏとなり、ステップＳ２３０で表示装置７の表示画面は図５（ｃ）に示すようになる。そして、ステップＳ２５０でユーザーによって「フォント大きさボタン」が１回押圧されると表示装置７の表示画面は図１２（ａ）に示すようになり、その状態でユーザーにより「決定ボタン」が押圧されると、題名対応フォント設定テーブルデータが図１１（ａ）から図１１（ｂ）に更新される（ステップＳ２６０）。その後、題名が“Ｒｅ：花見の件”である返信メールを作成すると、図１０のフローチャートにしたがって、表示装置７の表示画面は図１２（ｂ）に示すようになる。
【００５６】
上記受信動作及び送信動作によると、題名の共通するメールについては同一のフォント設定になるので、表示画面から特定の題名のメールが容易に判別できる。
【００５７】
なお、上述した実施形態では、メールアドレス対応フォント設定テーブルデータや題名対応フォント設定テーブルデータの最大データ格納数を５個としているが（図３、図７、図１１参照）、当然の事ながら最大データ格納数を５個以外であっても構わない。また、上述した実施形態では、受信メールの表示と送信メールの表示の両方において、メールアドレス対応フォント設定テーブルデータ又は題名対応フォント設定テーブルデータを用いたが、受信メールの表示のみに用いる形態や送信メールの表示のみに用いる形態にしても構わない。また、フォントの色設定を黒色のみにする場合には、表示装置７がカラー表示機能を有していなくてもよい。
【００５８】
また、上述した実施形態では、発信元メールアドレスや送信先メールアドレスがメールアドレス対応フォント設定テーブルデータの中に存在するかが判定されたが、発信元メールアドレスの一部や送信先メールアドレスの一部がメールアドレス対応フォント設定テーブルデータの中に存在するかが判定されるようにしてもよい。この場合メールアドレス対応フォント設定テーブルデータの中に存在するメールアドレスは例えば“＠qqq.co.jp”にすればよい。このような形態にすると、特定のグループに属するメールアドレスの送受信メールを同じフォント設定で表示することができる。
【００５９】
また、上述した実施形態の電子メール端末はメール操作専用の操作ボタン群を有する装置であるが、本発明はこれに限定されることなく、例えばパーソナルコンピュータのメモリに電子メールソフトを格納することで同様の動作をする装置を実現することができる。
【図面の簡単な説明】
【００６０】
【図１】本発明に係る電子メール端末の構成を示すブロック図である。
【図２】デフォルトのフォント設定テーブルデータを示す図である。
【図３】メールアドレス対応フォント設定テーブルデータを示す図である。
【図４】図１の電子メール端末の受信動作フローチャートである。
【図５】図１の電子メール端末に設けられる表示装置の表示画面を示す図である。
【図６】図１の電子メール端末の送信動作フローチャートである。
【図７】他のメールアドレス対応フォント設定テーブルデータを示す図である。
【図８】図１の電子メール端末に設けられる表示装置の他の表示画面を示す図である。
【図９】図１の電子メール端末の他の受信動作フローチャートである。
【図１０】図１の電子メール端末の他の送信動作フローチャートである。
【図１１】題名対応フォント設定テーブルデータを示す図である。
【図１２】図１の電子メール端末に設けられる表示装置の更に他の表示画面を示す図である。
【符号の説明】
【００６１】
１  文字入力ボタン群
２  操作ボタン群
３  制御装置
４  網制御装置
５  主記憶装置
６  メール記憶装置
７  表示装置
【図１】
2005065139.tif 000003
【図２】
2005065139.tif 000004
【図３】
2005065139.tif 000005
【図４】
2005065139.tif 000006
【図５】
2005065139.tif 000007
【図６】
2005065139.tif 000008
【図７】
2005065139.tif 000009
【図８】
2005065139.tif 000010
【図９】
2005065139.tif 000011
【図１０】
2005065139.tif 000012
【図１１】
2005065139.tif 000013
【図１２】
2005065139.tif 000014